(57)【要約】【課題】ハンドルをカバー部材にて覆うことにより、ハンドルに直接外力がかかる事態の確実な防止を図るとともに、カバー部材によるハンドルの被覆／露出が容易なハンドルカバー構造を提供する。【解決手段】前カバー３の開口４の前面側に、ハンドル６の不用意な操作を防止するためのハンドルカバー１１を取り付ける。該ハンドルカバー１１は、弾性を有する合成樹脂により成形されており、各開口４と略同様の寸法に形成されている。また、ハンドルカバー１１の上縁部及び下縁部に、夫々外方へと折れ曲がるフック状の係止片を後方へと突設した。そして、ハンドルカバー１１を、上下方向に若干撓めて係止片を所望の開口４内に挿入した後、自身が有する弾性により元の状態へと復帰させ、係止片を開口４の上縁及び下縁に係止させることによって、開口４から露出するハンドル６を覆うような状態で前カバー３に取り付け可能とした。【選択図】図１
2007220428.tif 000002
【特許請求の範囲】
【請求項１】
前ケースと後ケースとからなる収納ケース内に設置されたハンドル付きブレーカに対し、そのハンドルの前方を覆うカバー部材を備えたハンドルカバー構造であって、
前記前ケースに、前記ハンドルを露出させるための開口を設けるとともに、該開口に、開口を開放／閉塞するカバー部材を設けたことを特徴とするハンドルカバー構造。
【請求項２】
カバー部材に弾性を備えるとともに、前記カバー部材に一対の係止片を設け、該係止片を前ケースの開口縁に係止させることにより、前記前ケースに前記カバー部材を着脱自在に取り付け可能としたことを特徴とする請求項１に記載のハンドルカバー構造。
【請求項３】
カバー部材に透光性を備えたことを特徴とする請求項１又は２に記載のハンドルカバー構造。
【発明の詳細な説明】
【技術分野】
【０００１】
本発明は、たとえば住宅用分電盤等に搭載されているブレーカのハンドルが不用意に操作されないようにするためのハンドルカバー構造に関するものである。
【背景技術】
【０００２】
従来より、たとえば住宅用分電盤等に搭載されるブレーカに対して、そのＮ側ハンドルの不用意な操作を防止すべく、たとえば特許文献１や特許文献２に開示されているようなハンドルロック機構が設けられている。
【０００３】
【特許文献１】特開平７−２２０６０９号公報
【特許文献２】特開２００１−１１０２９４号公報
【０００４】
ここで、特許文献１及び２に開示されているハンドルロック機構について、図４及び５に基づいて説明する。図４及び５は、従来のハンドルロック機構について示した説明図である。
図４に示されているハンドルロック機構は、ハウジング４１に開設された開口から突出するハンドル４２の把持部４３を嵌入可能な筒部４４と、ハウジング４１の開口縁に係止する係止片４５とを備えてなるハンドルロック部材４０を用いて、ハンドル４２の回動操作をロックしようとするものである。つまり、所定の状態にあるハンドル４２に対し、ハンドルロック部材４０を上方から嵌挿することによって、ハンドル４２を所定の状態にてロックすることができる。一方、図５に示されているハンドルロック機構は、ブレーカ５０において、ハンドル５２の近傍にハンドル５２をロックするためのハンドルロックスイッチ５１を設けたものである。
【発明の開示】
【発明が解決しようとする課題】
【０００５】
しかしながら、特許文献１のハンドルロック機構では、ハンドルロック部材４０を各ブレーカの開口（ハンドル４２の把持部４３を突出させるための開口）に係止させるような構成としているため、特に住宅用分電盤等に搭載されるようなブレーカに用いる場合、ハンドルロック部材４０が小型な部材となる。したがって、ハンドルロック部材４０の着脱作業（特に、ハンドルロック部材４０の取り外し）が困難となるという問題が生じる。この問題は、ハンドルロックの必要があるブレーカの数が増えれば増えるほど顕著となる。
また、特許文献２のハンドルロック機構では、居住者等のユーザーがハンドル５２を直接触れることができる構成となっているため、ハンドル５２に対して外力がかかりやすく、ロックしているとは言えハンドル５２を不用意に操作しかねないという問題がある。
【０００６】
そこで、本発明は、上記課題に鑑みなされたものであって、ハンドルをカバー部材にて覆うことにより、ハンドルに直接外力がかかる事態の確実な防止を図るとともに、カバー部材によるハンドルの被覆／露出が容易なハンドルカバー構造を提供しようとするものである。
【課題を解決するための手段】
【０００７】
上記目的を達成するために、本発明のうち請求項１に記載の発明は、前ケースと後ケースとからなる収納ケース内に設置されたハンドル付きブレーカに対し、そのハンドルの前方を覆うカバー部材を備えたハンドルカバー構造であって、前記前ケースに、前記ハンドルを露出させるための開口を設けるとともに、該開口に、開口を開放／閉塞するカバー部材を設けたことを特徴とする。
請求項２に記載の発明は、請求項１の発明において、カバー部材に弾性を備えるとともに、前記カバー部材に一対の係止片を設け、該係止片を前ケースの開口縁に係止させることにより、前記前ケースに前記カバー部材を着脱自在に取り付け可能としたことを特徴とする。
請求項３に記載の発明は、請求項１又は２の発明において、カバー部材に透光性を備えたことを特徴とする。
【発明の効果】
【０００８】
本発明によれば、前ケースに、ハンドルを露出させるための開口を設けるとともに、該開口に、開口を開放／閉塞するカバー部材を設けているため、カバー部材にて開口を閉塞してハンドルの前方を覆うことにより、ユーザー等はハンドルを直接触れることができなくなる（すなわち、ハンドルに対して直接外力を加えることができなくなる）。したがって、ハンドルを不用意に操作してしまうといった事態を確実に防止することができる。また、前ケースに設けた開口を開放／閉塞するようなカバー部材とすることにより、直接ハンドルに対してロック部材等を取り付けるとした従来のものと比較して、カバー部材を小さすぎず大きすぎない適当な大きさに形成することができる。したがって、カバー部材による開口の開放／閉塞操作（すなわち、ハンドルの被覆／露出）を容易に行うことができる。
さらに、請求項２に記載の発明によれば、カバー部材に弾性を備えるとともに、カバー部材に一対の係止片を設け、該係止片を前ケースの開口縁に係止させることにより、前ケースにカバー部材を着脱自在に取り付け可能としている。したがって、カバー部材の着脱に際して何ら工具を用いる必要がなく、着脱作業を極めて簡易とすることができる。またさらに、カバー部材を前カバーに後付け可能な別体としているため、カバー部材の取り付け箇所を現場に応じて適宜変更することができ、汎用性に富む上、カバー部材を取り外してハンドルの操作を行いたい場合等には、所望のカバー部材のみを取り外せばよく、使い勝手が非常に良い。
加えて、請求項３に記載の発明によれば、カバー部材に透光性を備えているため、開口への取り付け状態（すなわち、カバー状態）において、ハンドルの状態（すなわち、入り／切り）を確認することができ、使い勝手が極めて良い。
【発明を実施するための最良の形態】
【０００９】
以下、本発明の一実施形態となるハンドルカバー構造について図面を基に説明する。
【００１０】
図１は、ハンドルカバー１１が取り付けられた住宅用分電盤１を示す斜視説明図であり、図２は、ハンドルカバー１１が取り付けられた前カバー３をベース部材２に装着する様子を示した斜視説明図である。また、図３（ａ）はハンドルカバー１１を後面側から見た説明図であり、図３（ｂ）はハンドルカバー１１の側断面を示した断面説明図である。
１は、各住宅に設置される住宅用分電盤（収納ケース）であって、複数のハンドル付きブレーカである単三分岐専用ブレーカ（以下、分岐ブレーカと称す）５、５・・が設置されるベース部材（後ケース）２と、該ベース部材２の前面を覆うように取り付けられる前カバー（前ケース）３とからなる。前カバー３には、ベース部材２に設置される分岐ブレーカ５、５・・と対応する位置に、略同形状の開口４、４・・が設けられており、前カバー３のベース部材２への取り付け後にも、各開口４を介して分岐ブレーカ５のＮ側ハンドル（以下、ハンドルと称す）６を露出させ、ハンドル６の操作を可能としている。尚、前カバー３の上部には、開口４、４・・等の前面を開放／閉塞するための扉８が、左右方向を軸として片開き自在に取り付けられている。
【００１１】
また、前カバー３の各開口４の前面側には、ハンドル６の不用意な操作を防止するためのハンドルカバー（カバー部材）１１を取り付けることができる。ハンドルカバー１１は、透光性及び弾性を有する合成樹脂により上下左右対称な矩形状に成形されており、その上下幅及び左右幅は、各開口４と略同様の寸法に形成されている。該ハンドルカバー１１には、前面側へと膨出する中空状の膨出部１２が設けられており、開口４への取り付け状態において、該膨出部１２内にハンドル６を収納可能としている。さらに、ハンドルカバー１１の上縁部及び下縁部には、夫々外方（上縁部では上側、下縁部では下側）へと折れ曲がるフック状の係止片１３、１３が後方へと突設されている。
該ハンドルカバー１１は、上下方向に若干撓めて係止片１３、１３を所望の開口４内に挿入した後、自身が有する弾性により元の状態へと復帰させ、係止片１３、１３を開口４の上縁及び下縁に係止させることによって、開口４から露出するハンドル６を覆うような状態で前カバー３に取り付けることができる。そして、ハンドルカバー１１が取り付けられると、居住者等のユーザーは分岐ブレーカ５のハンドル６を直接触れることができなくなり、ハンドル６の不用意な操作等が防止される。
【００１２】
ここで、以上のように構成される住宅用分電盤１の組み立てについて説明する。
まず、ベース部材２内に所定の分岐ブレーカ５、５・・を搭載するとともに、各分岐ブレーカ５のハンドル６を所望の状態に操作する。
次に、前カバー３の開口４、４・・のうち、ユーザーに操作させたくない分岐ブレーカ５と対応する開口４に、上述の如くしてハンドルカバー１１を取り付ける。
そして、必要なハンドルカバー１１が取り付けられた前カバー３をベース部材２に装着すれば、住宅用分電盤１の組み立ては完了となる。尚、前カバー３のベース部材２への装着後にハンドルカバー１１を取り付けること（すなわち、ハンドルカバー１１の後付け）は当然可能である。
【００１３】
上述したような住宅用分電盤１によれば、前カバー３の開口４に取り付けたハンドルカバー１１によって、ユーザー等はハンドル６を直接触れることができなくなる（すなわち、ハンドル６に対して直接外力を加えることができなくなる）。したがって、ハンドル６を不用意に操作してしまうといった事態を確実に防止することができる。
また、ハンドルカバー１１を前カバー３の開口４に取り付けるようにしているため、ハンドルカバー１１を小さすぎず大きすぎない適当な大きさに形成することができ、その着脱作業が容易となる。加えて、複数箇所のハンドルカバー１１を全て取り外したいような場合には、前カバー３をベース部材２から取り外すことによって対応可能であり、ハンドル６の被覆／露出操作を非常に簡易なものとすることができる。
【００１４】
さらに、ハンドルカバー１１を上下左右対称形状に形成するとともに膨出部１２を設け、開口４への取り付け状態において膨出部１２内にハンドル６を収納するような構成としているため、ハンドル６の姿勢や状態に合わせてハンドルカバー１１の取り付ける向き等を変える必要がなく、使い勝手が良い。
さらにまた、ハンドルカバー１１に透光性を備えているため、開口４への取り付け状態（すなわち、カバー状態）においてハンドル６の入り／切り状態を確認することができ、使い勝手が極めて良い。
【００１５】
またさらに、ハンドルカバー１１に弾性を備えるとともに、その上縁部及び下縁部に一対の係止片１３、１３を設けており、該係止片１３、１３を開口４の上縁及び下縁に係止させることによって開口４への取り付けを可能としている。したがって、ハンドルカバー１１の着脱に際して何ら工具を用いる必要がなく、着脱作業を極めて簡易とすることができる。
加えて、ハンドルカバー１１を前カバー３に一体成形するのではなく、後付け可能な別体として構成しているため、ハンドルカバー１１の取り付け位置を現場に応じて適宜変更することができ、汎用性に富む。
【００１６】
なお、本発明のハンドルカバー構造に係る構成は、上記実施形態の態様に何ら限定されるものではなく、前ケース、後ケース、分岐ブレーカ、及びカバー部材等に係る構成ついて、本発明の趣旨を逸脱しない範囲で、必要に応じて適宜変更することができる。
【００１７】
たとえば、上記実施の形態では、前ケースの開口に対してカバー部材としてのハンドルカバーを着脱自在とする構成としているが、カバー部材としてスライド式の板部材を採用し、各開口において板部材をスライドさせて開口を開放／閉塞することによってハンドルへの直接接触を防止するような構成とすることも可能である。該構成を採用しても、上記実施形態の構成の如く、分岐ブレーカのハンドルに直接外力が作用するといった事態を確実に防止することができるし、板部材をスライドさせるといった極めて簡易な作業でハンドルの操作可／不可を切り替えることができる。尚、板部材に透光性を備えることは勿論可能である。
【００１８】
また、上記実施の形態では、ハンドルの前方をハンドルカバーにて覆うことにより、ハンドルを直接触れないようにして、ハンドルの操作を不可能とするような構成としているが、ハンドルカバーの後面に一対の突片を設け、該ハンドルカバーの開口への取付状態にて突片によりハンドルを挟持固定するような構成（実際にハンドルをロックするような構造）とすることも可能である。
【００１９】
加えて、ハンドルカバー等のカバー部材に必ずしも透光性を備える必要はなく、透光性の有無は適宜変更可能であるし、カバー部材の表面等に「触るな危険」といった文字を表示する等して、ユーザーに更なる注意を促すような構成しても何ら問題はない。
【図面の簡単な説明】
【００２０】
【図１】ハンドルカバーが取り付けられた住宅用分電盤を示す斜視説明図である。
【図２】ハンドルカバーが取り付けられた前カバーをベース部材に装着する様子を示した斜視説明図である。
【図３】（ａ）はハンドルカバーを後面側から見た説明図であり、（ｂ）はハンドルカバーの側断面を示した断面説明図である。
【図４】従来のハンドルロック機構について示した説明図である。
【図５】従来のハンドルロック機構について示した説明図である。
【符号の説明】
【００２１】
１・・住宅用分電盤、２・・ベース部材、３・・前カバー、４・・開口、５・・単三分岐専用ブレーカ、６・・Ｎ側ハンドル、８・・扉、１１・・ハンドルカバー、１２・・膨出部、１３・・係止片。
【図１】
2007220428.tif 000003
【図２】
2007220428.tif 000004
【図３】
2007220428.tif 000005
【図４】
2007220428.tif 000006
【図５】
2007220428.tif 000007